(57)【要約】【課題】当たり口への入賞率を変えなくても、当たりに対する期待感を抱かせる。【解決手段】左羽根３５が開き位置にある場合に、羽根本体３８の側面３８ａが略平行となる側壁３７ａを役物本体３７に設ける。左羽根３５が開き位置から閉じ位置へと回動する過程でパチンコ球４５が受け入れられると、パチンコ球４５が左羽根３５と役物本体３７の側壁３７ａに挟み込まれる。挟み込まれたパチンコ球４５は閉じ位置へと回動する左羽根３５の押圧を受けて、左羽根３５と役物本体３７の側壁３７ａとによって挟み込まれた状態が維持されたまま、センター役物の内部に向けて移動する。【選択図】図８
2008099973.tif 000002
【特許請求の範囲】
【請求項１】
パチンコ球を受け入れる開き位置と前記パチンコ球を受け入れない閉じ位置との間で回動する羽根を備えた役物を有し、前記羽根が開き位置にあるときに受け入れられたパチンコ球が前記役物の内部を転動した結果に基づいて、遊技者に特典を付与するか否かが決定される遊技機において、
前記役物は、前記羽根が前記開き位置から前記閉じ位置に向けて回動するときに受け入れたパチンコ球を前記羽根との間で挟み込む側壁を有し、
前記羽根と前記側壁とにより挟み込まれたパチンコ球は、前記閉じ位置に向けて回動する羽根の押圧を受けて、前記羽根と前記側壁とによって挟み込まれた状態が維持されながら前記役物の内部に向けて移動することを特徴とする遊技機。
【請求項２】
前記羽根は、長手方向の一端部を回動中心として前記開き位置と前記閉じ位置との間で回動するとともに、前記回動中心となる一端部から他端部に向けて前記長手方向と直交する幅が狭くなるように形成されており、
前記羽根の側面のうち、前記羽根と前記側壁とによって前記パチンコ球を挟み込んだときに前記パチンコ球を押圧する側面の少なくとも前記他端部近傍が、前記長手方向において前記側壁から離れるように湾曲していることを特徴とする請求項１記載の遊技機。
【請求項３】
前記役物は、前記パチンコ球を受け入れる開口と、前記パチンコ球の前記開口への転動を許容する許容位置と前記開口への転動を禁止する禁止位置との間で移動する可動物とを備え、
前記可動物は、前記羽根が前記閉じ位置に移動してから予め設定された時間後に、前記許容位置から禁止位置へと移動することを特徴とする請求項１又は２記載の遊技機。
【請求項４】
前記役物は、前記パチンコ球が転動するステージと、前記ステージの下方に設けられ、前記特典が付与される当たり領域と、前記特典が付与されないハズレ領域と、を備えており、
前記禁止位置に移動した可動物は、前記ステージから前記当たり領域又はハズレ領域に到達するまでの前記パチンコ球の転動軌跡上に位置することを特徴とする請求項３記載の遊技機。
【発明の詳細な説明】
【技術分野】
【０００１】
本発明は、パチンコ球が特定の入賞装置に入賞したときに羽根が開放されることで、パチンコ球を内部に送り込むことが可能となる役物を備えた遊技機に関するものである。
【背景技術】
【０００２】
パチンコ店などの遊技場に設置される遊技機としてパチンコ機が挙げられる。このパチンコ機の中には、羽根モノと呼ばれる役物を備えたパチンコ機がある。この羽根モノと呼ばれる役物は、開閉動作する羽根が設けられており、例えば始動チャッカーにパチンコ球が入賞すると一定回数開閉動作される。この開閉動作の過程で開放された羽根によって受け止められたパチンコ球は、例えば役物の内部に設けられたステージ上を転動した後、ステージ上から落下して、ステージの下方に設けられた当たり口、又はハズレ口に入る。
【０００３】
例えば当たり口に入ると、遊技者に有利な当たりモードとなり、上述した羽根が例えば１８回を上限として開閉動作されるか、その開閉動作中に例えば１０個のパチンコ球が上役物の内部に入ると羽根の開閉動作が終了し、１ラウンドが終了する。この１ラウンドが終了する間に、役物の内部に入ったパチンコ球が当たり口に入ると、再度羽根が開閉動作を開始し、２ラウンド目が開始される。この当たりモードでは、例えば１５ラウンドを上限として行われる。これにより、ラウンド数を多く消化すれば、数多くの賞球を得ることができる。
【０００４】
このような羽根モノと呼ばれる役物の中には、上述した当たり口に向けて送り込む可動物や、パチンコ球の転動方向を変化させる可動物等、種々の可動物が設けられており、これら可動物が動くことによって、役物の内部に入ったパチンコ球が当たり口に入ることを遊技者に期待させるようにしている。
【特許文献１】特開２００３−２７６２７８号公報
【発明の開示】
【発明が解決しようとする課題】
【０００５】
しかしながら、このような可動物は、予め始動入賞してから所定時間後、或いは羽根が開閉動作を開始してから所定時間後に動くように制御されていることが多く、また、役物の内部に受け入れられるパチンコ球は、可動物にのみ影響されることから、役物の内部に入ったパチンコ球は、可動物が動く前に回収されてしまうのがほとんどである。このため、可動物を動かすタイミングを早めたり、羽根の開放時間を長くすることで当たり口に入るパチンコ球の入賞率を高くすることで、当たり口にパチンコ球が入ることへの期待感を遊技者に与えることも考えられるが、単に当たり口に入るパチンコ球の入賞率を高くすることは遊技の射幸性を遊技者にあおることに繋がるため、あまり好ましくない。
【０００６】
本発明は、上記課題を解決するためになされたものであり、当たり口への入賞率を変えなくても、当たりに対する期待感を抱かせることができるようにした遊技機を提供することを目的とする。
【課題を解決するための手段】
【０００７】
上記目的を達成するために、本発明の遊技機は、パチンコ球を受け入れる開き位置と前記パチンコ球を受け入れない閉じ位置との間で回動する羽根を備えた役物を有し、前記羽根が開き位置にあるときに受け入れられたパチンコ球が前記役物の内部を転動した結果に基づいて、遊技者に特典を付与するか否かが決定される遊技機において、前記役物は、前記羽根が前記開き位置から前記閉じ位置に向けて回動するときに受け入れたパチンコ球を前記羽根との間で挟み込む側壁を有し、前記羽根と前記側壁とにより挟み込まれたパチンコ球は、前記閉じ位置に向けて回動する羽根の押圧を受けて、前記羽根と前記側壁とによって挟み込まれた状態が維持されながら前記役物の内部に向けて移動することを特徴とする。なお、特典とは、より多くの入賞が得やすくなる大当たり状態等が挙げられる。
【０００８】
また、前記羽根は、長手方向の一端部を回動中心として前記開き位置と前記閉じ位置との間で回動するとともに、前記回動中心となる一端部から他端部に向けて前記長手方向と直交する幅が狭くなるように形成されており、前記羽根の側面のうち、前記羽根と前記側壁とによって前記パチンコ球を挟み込んだときに前記パチンコ球を押圧する側面の少なくとも前記他端部近傍が、前記長手方向において前記側壁から離れるように湾曲していることを特徴とする。
【０００９】
また、前記役物は、前記パチンコ球を受け入れる開口と、前記パチンコ球の前記開口への転動を許容する許容位置と前記開口への転動を禁止する禁止位置との間で移動する可動物とを備え、前記可動物は、前記羽根が前記閉じ位置に移動してから予め設定された時間後に、前記許容位置から禁止位置へと移動することを特徴とする。なお、開口とは、例えば回収経路へ導く回収口や、役物の内部の他の領域へと導くワープ通路用の開口などが挙げられる。
【００１０】
また、前記役物は、前記パチンコ球が転動するステージと、前記ステージの下方に設けられ、前記特典が付与される当たり領域と、前記特典が付与されないハズレ領域と、を備えており、前記禁止位置に移動した可動物は、前記ステージから前記当たり領域又はハズレ領域に到達するまでの前記パチンコ球の転動軌跡上に位置することを特徴とする。
【発明の効果】
【００１１】
本発明の遊技機によれば、羽根が閉じるときに受け入れたパチンコ球を、羽根と役物の側壁との間で挟み込んだ状態を維持しながらパチンコ球を役物の内部に向けて移動させることで、パチンコ球が役物の内部に入るタイミングを遅らせることができる。
【００１２】
また、羽根と側壁とによって挟み込まれたパチンコ球を押圧する側面において、回動中心とは反対側の他端部近傍が長手方向において側壁から離れるように湾曲していることで、挟み込まれたパチンコ球を役物の内部に向けて確実に移動させることができる。
【００１３】
また、役物に設けられる可動物を羽根が閉じてから予め設定された時間後に移動させることで、羽根と役物の側壁との間で挟持されることで役物内に入るタイミングがずれたパチンコ球を開口へと転動させる可能性を低くし、特典が付与される可能性を高くすることができる。
【００１４】
また、禁止位置に可動物が移動した場合には、ステージから当たり領域、又はハズレ領域に向けて転動するパチンコ球の転動軌跡上に可動物が位置することになるから、ステージから当たり領域、又はハズレ領域に向けて転動するパチンコ球の転動方向を変化させることができる。このように、パチンコ球の転動方向を変化させることで、もしかしたら当たり領域に入るかもという期待感を遊技者に与えることができる。
【発明を実施するための最良の形態】
【００１５】
図１は、本発明を実施したパチンコ機（遊技機）の正面図である。パチンコ機１０の前面上部には、前面扉１１が設けられている。この前面扉１１の中央には開口１１ａが設けられおり、この開口１１ａは前面扉１１の内側から例えばガラス板（図示省略）によって覆われている。遊技者は開口１１ａを覆うガラス板を介して、遊技領域２０に設けられた構造物や、遊技領域２０を流下するパチンコ球４５（図３参照）を視認することができる。
【００１６】
パチンコ機１０の前面下部には、パチンコ球４５を供給する供給皿１５や、遊技領域２０にパチンコ球４５を打ち出す際に操作される操作ハンドル１６が設けられている。操作ハンドル１６は、その操作量によってパチンコ球４５の打ち出し強さが変化するようになっている。
【００１７】
遊技領域２０は、ガイドレール２１によって囲まれた略楕円形状の領域から構成され、その略中央に羽根モノと呼ばれるセンター役物（役物）２５が設けられている。このセンター役物２５の側方には、風車２６や、図示を省略した障害釘が設けられている。また、センター役物２５の下方には、複数の始動チャッカー２７〜２９が設けられている。以下では、中央に設けられる始動チャッカー２７を中央始動チャッカー２７と称し、左側に設けられる始動チャッカー２８を左始動チャッカー２８と称し、右側に設けられる始動チャッカー２９を右始動チャッカー２９と称して説明する。
【００１８】
これら始動チャッカー２７〜２９のいずれかにパチンコ球４５が入ると、後述するセンター役物２５の羽根３５，３６（図２参照）が所定回数開閉動作する。例えば左始動チャッカー２８、又は右始動チャッカー２９にパチンコ球４５が入ると、羽根３５，３６が１回開閉動作される。また、中央始動チャッカー２７にパチンコ球４５が入ると、羽根３５，３６が２回開閉動作される。なお、符号３０はアウト口であり、始動チャッカー２７〜２９に入賞しないパチンコ球４５を回収するために設けられている。
【００１９】
図２に示すように、センター役物２５は、羽根３５，３６と、これら羽根３５，３６が組み付けられる役物本体３７とから構成されている。以下では、図２において、センター役物２５の左側に設けられる羽根３５を左羽根３５と称し、センター役物２５の右側に設けられる羽根３６を右羽根３６と称して説明する。左羽根３５は、透光性を有する合成樹脂から形成された羽根本体３８と、着色された合成樹脂から形成された化粧板３９から構成されている。
【００２０】
図３（ａ）及び図３（ｂ）に示すように、羽根本体３８は、センター役物２５を正面から視認したときに、長手方向の一端部を回動中心（図３中符号Ｚ）として回動する。この羽根本体３８は、長手方向に直交する幅が回動中心となる一端部から他端部に向けて狭くなるように形成されている。羽根本体３８の側面のうち、パチンコ球４５が挟み込まれたときに当接された後、パチンコ球４５を押圧する側面３８ａは、上述した他端部近傍が長手方向において側壁３７ａから離れるように湾曲するように形成されている。化粧板３９は、羽根本体３８の回動中心とは反対側の端縁部が露呈するように羽根本体３８の前面に組み付けられている。同様にして、右羽根３６は、羽根本体４０と化粧板４１とから構成されている。
【００２１】
左羽根３５，右羽根３６は、パチンコ球４５を受け入れる開き位置と、パチンコ球４５を受け入れない閉じ位置との間で回動する。左羽根３５，右羽根３６の動作は同様であることから、以下では、左羽根３５についてのみ説明し、右羽根３６については省略する。図３（ａ）に示すように、例えば左羽根３５が閉じ位置にある場合、左羽根３５の先端部と役物本体３７の側壁３７ａとは略当接された状態となっており、パチンコ球４５は羽根本体３８に沿って流下する。図３（ｂ）に示すように、左羽根３５が開き位置にある場合、左羽根３５と役物本体３７の側壁３７ａとの間はパチンコ球４５の直径よりも広い隙間が形成されているので、センター役物２５に沿って流下するパチンコ球４５は、左羽根３５と役物本体３７の側壁３７ａとの間に入り込み、役物本体３７に設けられた送込通路４６へと流下する。この送込通路４６への流下の際に、後述する左入賞検知センサ１３８によって検知される。なお、右羽根３６が閉じたときに受け入れられたパチンコ球４５は、役物本体３７の側壁３７ｂ（図２参照）との間に挟持される。
【００２２】
役物本体３７は、詳細は図示しないが、例えば透光性を有する合成樹脂と、着色が施された合成樹脂との２色成形から形成されている。例えば、図３（ａ）に示すように、役物本体３７の化粧部３７ｃは、透光性を有する合成樹脂から形成されており、センター役物２５が遊技領域２０に配置された場合には、この化粧部３７ｃの背面側に複数のＬＥＤ５０が配置される。これらＬＥＤ５０は、例えば左羽根３５が開閉動作されるときに、点滅制御される。上述したように、羽根本体３８も透光性を有する合成樹脂から形成されていることで、ＬＥＤ５０の点滅制御により羽根本体３８をわかりにくくすることができる。
【００２３】
図２に戻って、役物本体３７の中央には略方形状の凹部５５が設けられている。この凹部５５の上下方向の略中央には、ステージ６０が設けられている。このステージ６０は、その長手方向の中央部がその両端部よりも高くなるように湾曲されている。このステージ６０の後端部は、ステージ６０を転動するパチンコ球４５がステージ６０から落下しないように、上方に向けて折り曲げられた形状（以下、落下防止部６０ａ）となっている。そして、落下防止部６０ａの中央が、パチンコ球４５の直径よりも広い幅で切り欠かれている（以下、切り欠き部６０ｂ）。また、このステージ６０の両端部には、落下孔６１，６２が設けられている。これにより、パチンコ球４５がステージ６０を転動する過程で、上述した切り欠き部６０ｂから落下する、或いは、落下孔６１，６２から落下する。
【００２４】
このステージ６０の下方には、補助ステージ６５が設けられており、パチンコ球４５が受容された可動物（図示省略）が動くことによって、パチンコ球４５が補助ステージ６５に落下する。この補助ステージ６５に落下したパチンコ球４５は、補助ステージ６５の後方から後述するクルーン７０に向けて落下する。
【００２５】
補助ステージ６５の下方には、クルーン７０が設けられている。図４に示すように、クルーン７０は、例えば７２°ピッチで５個の受容領域７０ａ〜７０ｅが設けられている。この受容領域のうち４つの受容領域７０ａ〜７０ｄがハズレ領域７０ａ〜７０ｄとして設定され、残り１つの受容領域７０ｅが当たり領域７０ｅとして設定される。このクルーン７０の上面であって、回転中心から当たり領域７０ｅに向けて下り傾斜する傾斜面７０ｆが設けられている。例えば補助ステージ６５からパチンコ球４５が落下した場合には、パチンコ球４５はこの傾斜面７０ｆに落下し、当たり領域７０ｅに向けて転動する。
【００２６】
当たり領域７０ｅにパチンコ球４５が受容された場合、センター役物２５の前面まで当たり領域７０ｅが位置するまでクルーン７０が回転すると、当たり領域７０ｅに受容されたパチンコ球４５が当たり通路７１に落下する。一方、ハズレ領域７０ａ〜７０ｄにパチンコ球４５が受容された時には、図４中に示す位置から図４中Ａ方向に７２°回転したときに、受容されたパチンコ球４５が側方に設けられたハズレ通路７２に転動する。
【００２７】
このクルーン７０の両側部には、ステージ６０の落下孔６１，６２から落下したパチンコ球４５を移動させる移動通路７５，７６が設けられている。これら移動通路７５，７６は、センター役物２５の前面側に屈曲した部分が位置するように形成された略Ｕ字状の傾斜路から構成されている。そして、移動通路７５，７６の下流側端部は、徐々に幅広となるように形成されている。この移動通路７５，７６の奥には、回収口（開口）７７，７８がそれぞれ設けられている。これら回収口７７，７８は、移動通路７５，７６を転動したパチンコ球４５を回収するために設けられている。以下では、図４中左側の回収口７７を左回収口７７とし、図４中右側の回収口７８を右回収口７８と称する。
【００２８】
左回収口７７の側方及び右回収口７８の側方には、可動体８５，８６がそれぞれ設けられている。以下では、左回収口７７に対して設けられる可動体８５を左可動体８５、右回収口７８に対して設けられる可動体８６を右可動体８６として説明する。左可動体８５は、左回収口７７へのパチンコ球４５の進入を許容する許容位置と、左回収口７７へのパチンコ球４５の進入を禁止する禁止位置（図５参照）との間で回動する。例えば許容位置に左可動体８５が位置している場合には、移動通路７５を転動したパチンコ球４５は、左回収口７７に向けて（図４中Ｂ方向に）転動する。また、右可動体８６も同様であり、右可動体８６が許容位置にあるとときには、移動通路７６を転動するパチンコ球４５は、右回収口７８に向けて（図４中Ｃ方向に）転動する。
【００２９】
また、左可動体８５が禁止位置にあるときには、移動通路７５を転動したパチンコ球４５は、左可動体８５によって弾かれることで、その転動方向が図５中Ｄ方向へと変化し、送込み部９０に向けて転動する。同様にして、右可動体８６が禁止位置にあるときには、移動通路７６を転動したパチンコ球４５は、右可動体８６によって弾かれることで、その転動方向が図５中Ｅ方向へと変化し、送込み部９０に向けて転動する。
【００３０】
左回収口７７と右回収口７８の間の中央には、ステージ６０の切り欠き部６０ｂから落下したパチンコ球４５の転動方向を図４中Ｆ方向、或いは図４中Ｇ方向のいずれかに振り分けるための振分け片９５が設けられている。この振分け片９５の両側方には、振分け片９５から離れるに従って下り傾斜する傾斜片９６、９７が設けられている。また、左回収口７７の上方には、パチンコ球４５の転動方向を図４中Ｆ方向から図４中Ｈ方向に変化させる方向切替用の傾斜片９８が設けられている。この傾斜片９８を転動したパチンコ球４５は、クルーン７０の奥に設けられた送込み部９０に向けて（図４中Ｊ方向に）転動する。同様にして、右回収口７８の上方には、パチンコ球４５の転動方向を図４中Ｇ方向から図４中Ｉ方向に変化させる方向切替用の傾斜片９９が設けられている。この傾斜片９９を転動したパチンコ球４５は、クルーン７０の奥に設けられた送込み部９０に向けて（図４中Ｋ方向に）転動する。
【００３１】
図６は、パチンコ機１０の電気的構成を示す機能ブロック図である。なお、図６においては、遊技制御に関わる箇所についてのみ記載し、その他の構成については省略して示す。このパチンコ機１０は、遊技制御装置１１０を備えている。この遊技制御装置１１０は、ＣＰＵ１１１、ＲＯＭ１１２、ＲＡＭ１１３を備えている。ＣＰＵ１１１は、ＲＯＭ１１２に記憶された遊技制御プログラム１１５を読み出すことで、遊技制御装置１１０に入力される各種信号に基づいて、各部を制御する。また、ＲＡＭ１１３には、ＣＰＵ１１１が遊技制御プログラム１１５を実行する際の演算子やフラグなどが一時的に記憶される。
【００３２】
上述したように、センター役物２５には、左羽根３５、右羽根３６、左可動体８５、右可動体８６及びクルーン７０が設けられており、これらを動作させる駆動源がそれぞれ設けられている。例えば、左羽根３５や右羽根３６を開閉動作する駆動源として、ソレノイド１２０，１２１が用いられる。また、左可動体８５や右可動体８６を許容位置と禁止位置との間で回動させる駆動源として、ソレノイド１２２，１２３が用いられる。さらに、クルーン７０を回転させる駆動源として、ステッピングモータ１２４が用いられる。なお、符号１２５はステッピングモータ１２４を駆動するドライバである。
【００３３】
フォトインタラプタ１２６は、クルーン７０が回転したときに、クルーン７０の基準位置を検知するために設けられている。基準位置としては、例えば、当たり領域７０ｅと、当たり通路７１とが連通するときのクルーン７０の位置が挙げられる。この基準位置を検知することで、クルーン７０の回転位置が認識される。
【００３４】
左始動入賞検知センサ１３５は、左始動チャッカー２８の内部に設けられている。この左始動入賞検知センサ１３５は、左始動チャッカー２８に入賞したパチンコ球４５を検知し、その検知信号（左始動入賞信号）をＣＰＵ１１１に向けて出力する。ＣＰＵ１１１は、左始動入賞信号を受けて、払出制御装置１４５に払出信号を出力する。また、ＣＰＵ１１１は、ソレノイド１２０，１２１への給電・給電停止を行って左羽根３５、右羽根３６の開閉動作を行うとともに、ソレノイド１２２，１２３への給電・給電停止を行って、左可動体８５、右可動体８６を許容位置と禁止位置との間で回動させる。
【００３５】
中央始動入賞検知センサ１３６は、中央始動チャッカー２７の内部に設けられている。この中央始動入賞検知センサ１３６は、中央始動チャッカー２７に入賞したパチンコ球４５を検知し、その検知信号（中央始動入賞信号）をＣＰＵ１１１に向けて出力する。ＣＰＵ１１１は、中央始動入賞信号を受けて、払出制御装置１４５に払出信号を出力する。また、ＣＰＵ１１１は、ソレノイド１２０，１２１への給電・給電停止を行って左羽根３５、右羽根３６の開閉動作を行うとともに、ソレノイド１２２，１２３への給電・給電停止を行って、左可動体８５、右可動体８６を許容位置と禁止位置との間で回動させる。
【００３６】
右始動入賞検知センサ１３７は、右始動チャッカー２９の内部に設けられている。この右始動入賞検知センサ１３７は、右始動チャッカー２９に入賞したパチンコ球４５を検知し、その検知信号（右始動入賞信号）をＣＰＵ１１１に向けて出力する。ＣＰＵ１１１は、右始動入賞信号を受けて、払出制御装置１４５に払出信号を出力する。また、ＣＰＵ１１１は、ソレノイド１２０，１２１への給電・給電停止を行って左羽根３５、右羽根３６の開閉動作を行うとともに、ソレノイド１２２，１２３への給電・給電停止を行って、左可動体８５、右可動体８６を許容位置と禁止位置との間で回動させる。
【００３７】
左入賞検知センサ１３８は、左羽根３５が開き位置にある場合に受け入れられたパチンコ球４５を検知し、その検知信号（左入賞信号）をＣＰＵ１１１に出力する。同様にして、右入賞検知センサ１３９は、右羽根３６が開き位置にある場合に受け入れられたパチンコ球４５を検知し、その検知信号（右入賞信号）をＣＰＵ１１１に出力する。これら左入賞信号、右入賞信号を受けて、ＣＰＵ１１１は、払出制御装置１４５に払出信号を出力する。また、ＣＰＵ１１１は、パチンコ機の遊技状態が通常状態であるか、通常状態よりも遊技者に有利な大当たり状態であるかを判定し、例えば大当たり状態となる場合には、これら入賞信号をカウントし、予め設定された上限値に到達したか否かを判定する。
【００３８】
大入賞検知センサ１４０は、当たり通路７１を通過するパチンコ球４５を検知し、その検知信号（以下、大当たり信号）をＣＰＵ１１１に向けて出力する。例えば通常状態で、大当たり信号が出力された場合には、ＣＰＵ１１１は、遊技状態を通常状態から大当たり状態に移行させるとともに、大当たり状態におけるラウンド数の抽選を行う。これを受けて、ソレノイド１２０，１２１への給電及び給電停止を行う。また、大当たり状態の場合には、ＣＰＵ１１１は、大当たり信号の出力を受けて、次のラウンドを行う処理を実行する。
【００３９】
払出制御装置１４５は、ＣＰＵ１１１からの払出信号を受けて、払出装置１４６を駆動し、賞球としてのパチンコ球４５を払い出す。パチンコ機１０は、払出装置１４６によって払い出されたパチンコ球４５を検知する検知センサ（図示省略）を備えており、払出制御装置１４６は、検知センサからの検知信号をカウントして、そのカウント値が予め設定された数となる場合に、払出装置１４６の駆動を停止する。ランプ制御装置１４７は、パチンコ機１０に設けられた電飾や、上述したＬＥＤ５０等の点灯／消灯制御を行う。図柄制御装置１４８は、センター役物２５に設けられた図柄表示装置１４９の表示制御を行う。
【００４０】
このような構成のパチンコ機において遊技を行った際に左始動チャッカー２８や右始動チャッカー２９のいずれかにパチンコ球４５が入賞した場合には、センター役物２５に設けられた羽根や可動体は、以下のように可動する。左始動チャッカー２８及び右始動チャッカー２９に入賞したときの動作は同一であるので、以下では、左始動チャッカー２８に入賞した場合について説明する。
【００４１】
図７に示すように、左始動チャッカー２８にパチンコ球４５が入賞すると、左始動入賞検知センサ１３５がオンとなり、左始動入賞信号がＣＰＵ１１１に入力される。この左始動入賞信号を受けて、ＣＰＵ１１１は、例えばＴ１秒後にソレノイド１２０，１２１への給電を行う。これにより、左羽根３５、右羽根３６がそれぞれ閉じ位置から開き位置へと回動する。ＣＰＵ１１１は、ソレノイド１２０，１２１への給電を行ってからＴ２秒後にソレノイド１２０，１２１への給電を停止する。これにより、左羽根３５，右羽根３６がそれぞれ開き位置から閉じ位置へと回動する。左始動入賞信号が出力されてから、Ｔ３（Ｔ３＞Ｔ１）秒後に、ソレノイド１２２，１２３への給電を行って、左可動体８５及び右可動体８６を許容位置から禁止位置へと回動させる。そして、給電を行ってからＴ４秒後にソレノイド１２２，１２３への給電を停止する。なお、中央始動入賞チャッカー２７にパチンコ球４５が入賞した場合は、左可動体８５及び右可動体８６が許容位置に回動してから所定時間後に再度上述した動作が１回繰り返し行われる。
【００４２】
上述した左羽根３５、右羽根３６が開き位置から閉じ位置への回動する過程で、パチンコ球４５が受け入れられる場合がある。左羽根３５が閉じ位置へ回動する過程で受け入れられたパチンコ球４５は、左羽根３５と役物本体３７の側壁３７ａとの間を流下して、センター役物２５の内部に受け入れられる。
【００４３】
図８に示すように、受け入れられるパチンコ球４５の中には、閉じ位置に向けて（図８中Ｓ方向に）回動している左羽根３５と側壁３７ａとによって挟み込まれるパチンコ球４５がある。羽根本体３８の側面３８ａは、長手方向における回動中心となる一端部とは反対側の他端部近傍が、長手方向に対して側壁３７ａから離れるように湾曲しているので、左羽根３５の側面３８ａとパチンコ球４５との当接する箇所から、側壁３７ａとパチンコ球４５が当接する箇所までの間隔がパチンコ球４５の直径よりも狭い間隔となり、閉じ位置に向けて回動する羽根３５の押圧を受けると、左羽根３５と側壁３７ａとの間に挟み込まれたパチンコ球４５は、図８中Ｕ方向に移動していく。つまり、挟み込まれたパチンコ球は、左羽根３５の側面３８ａと、側壁３７ａとに接触した状態を保ったまま移動する。そして、左羽根３５が閉じ位置に到達する直前で、パチンコ球４５の左羽根３５と役物本体３７の側壁３７ａとの挟持が解除され、パチンコ球４５が送込通路４６の内部に流下する。なお、右羽根３６についても同様であることから、その説明を省略する。
【００４４】
このように、パチンコ球４５が左羽根３５と役物本体３７の側壁３７ａとによって挟持された場合には、パチンコ球４５がそのまま受け入られた場合に比べて、送込通路４６の内部に落下するまでに時間がかかることになる。その後、パチンコ球４５はステージ６０上を転動し、落下孔６１，６２から落下する。その後、移動通路７５，７６を転動する。パチンコ球４５が移動通路７５，７６を転動しているときには、左可動体８５、及び右可動体８６がそれぞれ禁止位置に位置している状態となることから、移動通路７５，７６を転動したパチンコ球４５は、左可動体８５、及び右可動体８６によって弾かれ、送り込み部９０に向けて転動する。そして、送り込み部９０まで転動したパチンコ球４５は回転するクルーン７０のハズレ領域７０ａ〜７０ｄ、又は当たり領域７０ｅに受容される。これによれば、センター役物２５の内部に受け入れられたパチンコ球４５のうち、クルーン７０まで転動するパチンコ球４５の数を増やすことができるので、当たり領域７０ｅへ入ることへの期待感を遊技者に与えることができる。
【００４５】
本実施形態では、左羽根３５が開き位置にある場合に、羽根本体３８の側面３８ａが側壁３７ａに向けて突出する湾曲面としているが、これに限定される必要はなく、左羽根を閉じている過程で挟持されたパチンコ球を役物本体の側壁とで挟持した状態を維持したまま、パチンコ球を移動させることができる形状であればよい。
【００４６】
本実施形態では、始動入賞信号が出力されてから左羽根及び右羽根の開閉動作を行うまでの時間と、始動入賞信号が出力されてから左可動体及び右可動体の回動動作を行うまでの時間とをそれぞれ設定することで、羽根が閉じてから所定時間後に可動体が移動するように見せているが、これに限定する必要はなく、例えば、左羽根及び右羽根が閉じてから左可動体、右可動体の回動動作を開始するまでの時間を設定し、この設定された時間に基づいて可動体の動作を行わせるようにしてもよい。
【図面の簡単な説明】
【００４７】
【図１】本発明のパチンコ機の外観を示す正面図である。
【図２】センター役物の構成を示す斜視図である。
【図３】左羽根が閉じ位置にある場合、及び左羽根が開き位置にある場合の左羽根近傍の状態を示す正面図である。
【図４】可動体が許容位置にある場合のクルーン近傍の状態を示す斜視図である。
【図５】可動体が禁止位置にある場合のクルーン近傍の状態を示す斜視図である。
【図６】パチンコ機の電気的構成を示す機能ブロック図である。
【図７】始動入賞信号が出力された後の羽根及び可動体の位置を示すタイミングチャートである。
【図８】左羽根と役物本体の側壁とによってパチンコ球が挟み込まれた状態を示す正面図である。
【符号の説明】
【００４８】
１０  パチンコ機（遊技機）
２５  センター役物
３５  左羽根（羽根）
３６  右羽根（羽根）
３７ａ  側壁
４５  パチンコ球
６０  ステージ
７０  クルーン
７０ａ〜７０ｄ  ハズレ領域
７０ｅ  当たり領域
７７  左回収口（開口）
７８  右回収口（開口）
８５  左可動体（可動物）
８６  右可動体（可動物）
【図１】
2008099973.tif 000003
【図２】
2008099973.tif 000004
【図３】
2008099973.tif 000005
【図４】
2008099973.tif 000006
【図５】
2008099973.tif 000007
【図６】
2008099973.tif 000008
【図７】
2008099973.tif 000009
【図８】
2008099973.tif 000010